(57)【要約】      （修正有）【課題】効率的な運営が期待でき、有酸素運動の場が増え、利用者にとって身近で安価に健康の維持・増進の場を提供することにつながるコイン式有酸素運動マシンを提供する。【解決手段】運動実施における経過時間、消費カロリー、走行距離を計測し第１のディスプレイ４４４に表示する機能を有する有酸素運動マシン２２２と、有酸素運動マシン２２２への電源供給機能、コイン回収機能、タイマー機能を少なくとも有する管理機１１１と接続したコイン式有酸素運動マシンにおいて、管理機１１１には画面タッチ操作が可能な第２のディスプレイ及び有酸素運動マシン２２２で計測される消費カロリー数及び走行距離数のデータを読込むメモリ機能を備え、第２のディスプレイに利用料金の徴収単位を時間、消費カロリーあるいは走行距離のうちから一つ選択できるように表示され、かつ、運動開始後の経過時間が第１のディスプレイ４４４及び第２のディスプレイに同時に表示されるとともに、終了見込み時間を第２のディスプレイに表示する。【選択図】図１
0003206646.tif 000002
【実用新案登録請求の範囲】
【請求項１】
運動実施における経過時間、消費カロリー、走行距離を計測し第１のディスプレイに表示する機能を有する有酸素運動マシンと、前記有酸素運動マシンへの電源供給機能、コイン回収機能、タイマー機能を少なくとも有する管理機と接続したコイン式有酸度運動マシンにおいて、前記管理機には画面タッチ操作が可能な第２のディスプレイ及び前記有酸素運動マシンで計測される消費カロリー数及び走行距離数のデータを読込むメモリ機能を備え、前記第２のディスプレイに利用料金の徴収単位を時間、消費カロリーあるいは走行距離のうちから一つ選択できるように表示され、かつ、運動開始後の経過時間が前記第１のディスプレイ及び前記第２のディスプレイに同時に表示されるとともに、終了見込み時間を前記第２のディスプレイに表示することを特徴としたコイン式有酸素運動マシン。
【請求項２】
前記終了見込み時間は、料金徴収単位が時間の場合は、利用者が選択した利用時間から利用開始後の経過時間が差し引かれた残りの時間を表示し、料金徴収単位が消費カロリーまたは走行距離の場合、予め設定した消費カロリーまたは走行距離の単位に対して、利用開始後にこの設定した単位を消化した時間を前記メモリ機能に記憶させ、利用者が選択した消費カロリーまたは走行距離の残りの数値を予め設定した単位で除し、その除した数値に前記メモリに記憶された消化時間を乗じた数値を終了見込み時間として表示し、以降利用者が選択した料金徴収単位を消化するまでこの計算を繰り返すことで、最新の終了見込み時間を表示することを特徴とした請求項１のコイン式有酸素運動マシン。
【考案の詳細な説明】
【技術分野】
【０００１】  本発明は、個人の健康維持・増進を図るための有酸素運動マシンに関する。なお、本発明が対象としているマシンは、ランニングマシンや自転車エルゴメーターなどといった有酸素運動を行うマシンであり、運動実施における経過時間、消費カロリー、走行距離を計測し表示する機能を有するマシンである。
【背景技術】
【０００２】  最も手軽な運動の一つとしてランニングやウォーキング、自転車走行といった有酸素運動があるが、これらの運動を屋内で行う場合、民間スポーツクラブなどで実施する業務用マシンの利用や自宅で運動するための個人購入の家庭用マシンの利用がある。【０００３】  まず、業務用マシンの利用の多くは、有酸素運動以外の設備や人件費なども含めた料金設定となっているため料金負担が大きいことや、会員入会システムの煩わしさ、また、有酸素運動のみの利用料金の選択肢がないことや利用時間に制限があったり、設置台数が少ないことなどから、利用されない、または利用できないことがある。つまり、運動の機会が損なわれる。【０００４】  既に民間スポーツクラブなどに入会している人にとっても、入会金や月会費払い、年会費払いなどといった料金システムが殆どであるため、利用が少ない月の１回当たりの単価が高くなるなど、高額な料金を負担することとなっている。【０００５】  マシン設置者にとっては、集客のための多種多様な運動器具も揃えた大規模施設と施設スタッフなどの人件費を含めた施設維持管理費の負担が大きいため、施設の設置が人口密集地などの限定地域とならざるを得ない。これは、各マシンの利用料回収が施設スタッフを介する仕組みしかないという理由によるところが大きい。【０００６】  家庭用マシンについても、個人にとっては高額な費用負担である。家での運動はなかなか継続しないことが多々あり、この場合は折角のマシンが無用の長物となる。集合住宅などでは手狭となるだけでなく、騒音問題となることもあり、気軽に使用できる筈の自宅使用マシンでありながら、利用時間や利用の仕方に制約が生じることとなる。更に家庭用マシンは、業務用マシンほどの耐久性がないことがよくあることから、修理対応に手間がかかり、最悪の場合、廃棄処分にも手数がかかることとなる。【０００７】  これらの問題の解決を狙い、マシンを通信網で結んで無人で管理することで管理コストを削減しようとするシステムが特許文献で提案されているが、このシステムの実際の設置には多大なコストが必要なことが容易に想像され、その分が利用者の負担となり、結果として環境整備の普及につながらない。【０００８】  一方、一般的な有酸素運動マシンには、運動実施における経過時間や消費カロリー、走行距離といった情報が提供されており、利用者にとっては、これらのうち少なくとも一つの情報を運動の目標としていると思われるが、民間スポーツクラブなどでのマシン利用提供は、効率的な運営のため時間制限が殆どであるため、必ずしも消費カロリーや走行距離といった利用者本位の目標型利用の提供がなされていない。【０００９】  また、これらの有酸素運動マシンを民間スポーツクラブなどで利用する際、利用者の多さから順番待ちとなることがあり、待機している利用者にとっては、どの位待てばよいのかが必要な情報であるが、その情報を得るためには、いちいち利用中のマシンディスプレイを除き込んで確認しなければならないなど、面倒くささと共に、利用者及び待機者双方にとって気まずい雰囲気となるなど、気分よく利用できる環境が整っているとは言い難い。
【先行技術文献】
【特許文献】
【００１０】
【特許文献１】特開２００３−２３６０１７  公報
【考案の概要】
【考案が解決しようとする課題】
【００１１】  以上に述べたこれまでの有酸素運動の実施については、最も手軽な運動であるにも関わらず、その機会を損失することが多い。これは、屋内利用における利用料金負担や設置者の維持管理費負担が大きいことなどの理由により、効率的で安価な環境が整備されていないという問題があった。【００１２】  また、有酸素運動マシン利用者にとっては、経過時間以外にも消費カロリーや走行距離といった利用情報が運動の目標となるが、これらの目標型利用となるマシン利用が提供されていないほか、利用待機者にとっての待機時間情報の案内も効果的になされていないといった問題があった。【００１３】  本発明は、このような従来から抱えている問題を解決しようとするものであり、個人の健康維持・増進に貢献することを目的とするものである。
【課題を解決するための手段】
【００１４】  本発明は、上記目的を達成するため、運動実施における経過時間、消費カロリー、走行距離を計測し第１のディスプレイに表示する機能を有する有酸素運動マシンと、前記有酸素運動マシンへの電源供給機能、コイン回収機能、タイマー機能を少なくとも有する管理機と接続したコイン式有酸度運動マシンにおいて、前記管理機には画面タッチ操作が可能な第２のディスプレイ及び前記有酸素運動マシンで計測される消費カロリー数及び走行距離数のデータを読込むメモリ機能を備え、前記第２のディスプレイに利用料金の徴収単位を時間、消費カロリーあるいは走行距離のうちから一つ選択できるように表示され、かつ、運動開始後の経過時間が前記第１のディスプレイ及び前記第２のディスプレイに同時に表示されるとともに、終了見込み時間を前記第２のディスプレイに表示するようにしている【００１５】  前記終了見込み時間は、料金徴収単位が時間の場合は、利用者が選択した利用時間から利用開始後の経過時間が差し引かれた残りの時間を表示し、料金徴収単位が消費カロリーまたは走行距離の場合、予め設定した消費カロリーまたは走行距離の単位に対して、利用開始後にこの設定した単位を消化した時間を前記メモリ機能に記憶させ、利用者が選択した消費カロリーまたは走行距離の残りの数値を予め設定した単位で除し、その除した数値に前記メモリに記憶された消化時間を乗じた数値を終了見込み時間として表示し、以降利用者が選択した料金徴収単位を消化するまでこの計算を繰り返すことで、最新の終了見込み時間を表示するようにしている。
【考案の効果】
【００１６】  運動実施における経過時間、消費カロリー、走行距離を計測し第１のディスプレイに表示する機能を有する有酸素運動マシンにおいて、前記有酸素運動マシンへの電源供給機能、コイン回収機能、タイマー機能を有する管理機を接続する。このことにより、セルフ利用かつ利用料金徴収の無人化とすることができる。【００１７】  有酸素運動マシンで計測される消費カロリー数及び走行距離数のデータを読込むカウンタ及びメモリ機能を有する管理機において、画面タッチ操作が可能な第２のディスプレイに利用料金の徴収単位を時間、消費カロリーあるいは走行距離のうちから一つ選択できるように表示される。このことにより、単なる時間管理運動だけでなく、利用者の目的に応じた目標管理運動のマシン利用を提供することができる。【００１８】  運動開始後の経過時間を有酸素運動マシンが有する第１のディスプレイ及び管理機が有する第２のディスプレイに同時に表示される。このことにより、利用者本人だけでなく、待機している次の利用者への時間案内とすることができる。【００１９】  終了見込み時間を管理機が有する第２のディスプレイに表示される。このことにより、待機している次の利用者への時間見込み案内とすることができる。【００２０】  これらの効果により、人件費を含めた維持管理費を抑えた効率的な運営が大いに期待できることから、有酸素運動をする場を増やすことが容易となり、このことが利用者にとって身近で安価に健康の維持・増進の場を提供することができる。
【図面の簡単な説明】
【００２１】
【図１】代表的な有酸素運動マシンであるランニングマシン及び管理機の外観図である。
【図２】管理機を搭載した筐体の拡大図である。
【図３】利用料金及び設定単位の第２のディスプレイ表示内容の例である。
【図４】有酸素運動マシン４台に管理機１台が設置されている場合の第２のディスプレイの例である。
【図５】終了見込み時間算出についてのイメージ図である。
【図６】複数台のマシンを１台の管理機で運用する場合のフロー図である。
【考案を実施するための形態】
【００２２】  以下、本発明の実施の形態を図１〜図６に基づいて説明する。
【００２３】  図１においては、１１１は管理機であり、有酸素運動マシン２２２とコード３３３などにより接続、または一体化されている。４４４は第１のディスプレイであり、利用時間やスピード、走行距離、消費カロリーなどを表示するほか、スピード調整ボタンなど、運動内容を把握する数値情報やマシン操作に必要な機能を設置している。なお、セルフ方式の運用のため、音声ガイダンスを設置することが好ましい。
【００２４】  図２においては、管理機１１１を搭載した筐体の拡大図であるが、第２のディスプレイ１１を備え、コイン回収や返金機能のほかに有酸素運動マシンへの電源供給機能、投入コインにより動作するタイマー機能、有酸素運動マシンで計測される消費カロリー数及び走行距離数のデータを読込むカウンタ及びメモリ機能、売上管理機能、使用電力計測機能、各種データ出力機能などが一体となって整備されており、筐体扉８８内部に鍵７７を設け管理される。
【００２５】  図３においては、利用料金及び設定単位についての第２のディスプレイ１１の表示内容の例を示したものである。
【００２６】  図４においては、有酸素運動マシン４台に管理機１台が設置されている場合の第２のディスプレイ１１の表示内容の例を示したものである。
【００２７】  図５においては、料金単位を消費カロリーまたは走行距離とした際の終了見込み時間算出についてのイメージを記している。終了見込み時間は、料金徴収単位が消費カロリーまたは走行距離の場合、一定の消費カロリーまたは走行距離を予め設定し、この設定した数値を消化した時間をメモリ機能に記憶させ、利用者が選択した消費カロリーまたは走行距離の残りの数値をこの設定した単位で除し、その除した数値にメモリされた消化時間を乗じた数値を終了見込み時間として表示する。
【００２８】  図６においては、最もスタンダードな運用となるであろう、複数台のマシンを１台の管理機で運用する場合のフロー図である。
【００２９】  以下、上記構成の動作を説明する。利用者は、まず、利用したいマシンを選択するため、第２のディスプレイ１１に表示されるマシン番号を選択する。その後に、図３に示されるように、時間、消費カロリー、走行距離の中から利用目的に合った料金単位を選択し、次に、予め設定された料金単位毎の取引内容を選択する。
【００３０】  取引内容で選択した分の料金を投入する。コインの投入は、図２に示される硬貨投入口２２または紙幣投入及び返却口３３で行う。お釣りがある場合は、硬貨返却口４４または紙幣投入及び返却口３３からコインを受け取る。操作とりけしが必要な場合は、とりけしボタン５５を押す。とりけしボタンは、第２のディスプレイ１１に表示することもできる。なお、コインとは、貨幣のことであり、硬貨及び紙幣を差す。
【００３１】  コイン収受が適正に行われた時点で管理機からマシンに電源が供給され、マシンの操作が可能となり、利用者はマシン走行スピード調整ボタンなどを任意に操作して有酸素運動を実施する。
【００３２】  マシン利用開始からの経過時間や選択された時間、消費カロリー、走行距離に基づく経過及び残りの数値などは、第１のディスプレイ４４４及び第２のディスプレイ１１の双方に同時に表示され、利用者本人や待機している次の利用者にも分かるようにする。この例を図４に示す。
【００３３】  マシンを複数台設置し、管理機は１台とすることができる。このとき、第２のディスプレイ１１には、利用していないマシンを任意に選択できる機能を備える。
【００３４】  マシンへの電源供給後、▲１▼利用者が選択した利用が終了した時。▲２▼マシン操作をしていない時間が一定時間を超えた時。これら▲１▼、▲２▼のいずれかの場合、管理機から有酸素運動マシンへの電源供給を遮断し、通常待機状態とする。
【００３５】  利用料金の収受や管理上必要なデータ出力がある場合は、レシート出力口６６などを活用する。
【符号の説明】１１１  管理機を搭載した筐体
２２２  有酸素運動マシン
３３３  管理機及びマシン接続部
４４４  第１のディスプレイ
１１  第２のディスプレイ
２２  硬貨投入口
３３  紙幣投入及び返却口
４４  硬貨返却口
５５  とりけしボタン
６６  レシート出力口
７７  鍵
８８  筐体扉
【図１】
0003206646.tif 000003
【図２】
0003206646.tif 000004
【図３】
0003206646.tif 000005
【図４】
0003206646.tif 000006
【図５】
0003206646.tif 000007
【図６】
0003206646.tif 000008